(57)【要約】【課題】エレベーターの着床スイッチの交換頻度を低減する。【解決手段】エレベーターの電気式着床スイッチ装置１４は、間隙を挟んで向かい合うように乗りかごに取り付けられた投光器７および受光器８と、これらに電気を供給する電源供給回路１２を有している。受光器８は、乗りかごが所定の位置に到達すると投光器７から放出される光を遮るようにその間隙に位置するように設置された着床検出板によって投光器７から放出される光２８が遮られているか否かの信号を制御盤１１に出力する。制御盤１１は、その信号に基づいて乗りかごが所定の位置に到達したか否かを判定する。電源供給回路１２は、制御電源６またはバッテリー１０から投光器７および受光器８に電気を供給する。【選択図】図３
2008074518.tif 000002
【特許請求の範囲】
【請求項１】
昇降路に沿って昇降する乗りかごと、
前記乗りかごに取り付けられた投光手段と、
前記投光手段と間隙を挟んで向かい合うように前記乗りかごに取り付けられて、前記投光手段から放射される光を受けているか否かの信号を出力する受光手段と、
前記乗りかごが所定の位置に到達すると前記投光手段と前記受光手段との間の間隙に位置して前記投光手段から放出される光を遮るように前記昇降路に固定された着床検出板と、
前記受光手段から出力される信号に基づいて前記乗りかごが所定の位置に到達したか否かを判定する制御盤と、
エレベーターの制御に用いる制御電源と、
バッテリーを備え、前記制御電源から電気が供給されているときには前記制御電源から前記投光手段および前記受光手段に電気を供給させ、前記制御電源から電気が供給されないときには前記バッテリーから前記投光手段および前記受光手段に電気を供給させる電源供給回路と、
を有することを特徴とするエレベーター設備。
【請求項２】
前記バッテリーには、前記制御電源以外の外部電源から電気が供給されていて、
前記電源供給回路は、前記外部電源によって前記バッテリーに充電することを特徴とする請求項１に記載のエレベーター設備。
【請求項３】
前記電源供給回路は、前記制御電源によって前記バッテリーに充電することを特徴とする請求項１に記載のエレベーター設備。
【請求項４】
昇降路に沿って昇降する乗りかごに取り付けられた投光手段と、
前記乗りかごが所定の位置に到達すると、前記投光手段から放出される光を遮るように前記昇降路に固定された着床検出板を挟んで前記投光手段の反対側に位置するように前記乗りかごに取り付けられて、前記投光手段から放射される光を受けているか否かの信号を出力する受光手段と、
バッテリーを備え、エレベーターの制御に用いる制御電源から電気が供給されているときには前記制御電源から前記投光手段および前記受光手段に電気を供給させ、前記制御電源から電気が供給されないときには前記バッテリーから前記投光手段および前記受光手段に電気を供給させる電源供給回路と、
を有することを特徴とするエレベーターの着床スイッチ装置。
【請求項５】
昇降路に沿って昇降する乗りかごと、前記乗りかごに取り付けられた磁石と、前記磁石と間隙を挟んで向かい合うように前記乗りかごに取り付けられて、前記磁石から所定の強度の磁力を受けているか否かの信号を出力する機械式スイッチと、前記乗りかごが所定の位置に到達すると前記磁石と前記機械式スイッチとの間の間隙に位置して前記磁石が発生する磁力によって前記機械式スイッチが前記所定の強度の磁力を受けないように遮る、前記昇降路に固定された着床検出板と、前記機械式スイッチから出力される信号に基づいて前記乗りかごが所定の位置に到達したか否かを判定する制御盤と、エレベーターの制御に用いる制御電源と、を備えた既設のエレベーター設備の改造方法において、
前記磁石を投光手段に取り替える工程と、
前記機械式スイッチを受光手段に取替える工程と、
バッテリーを設置する工程と、
前記制御電源から電気が供給されているときには前記制御電源から前記投光手段および前記受光手段に電気を供給させ、前記制御電源から電気が供給されないときには前記バッテリーから前記投光手段および前記受光手段に電気を供給させ、前記制御電源から電気が供給されているときには前記制御電源によって前記バッテリーを充電するように電源供給回路を形成する工程と、
を有することを特徴とするエレベーター設備の改造方法。
【発明の詳細な説明】
【技術分野】
【０００１】
本発明は、エレベーター設備、エレベーターの着床スイッチ装置およびその改造方法に関する。
【背景技術】
【０００２】
エレベーターは、乗客等を目的階に移送することを目的としている。したがって、エレベーターの乗りかごは、その床面が目的階の床面と同じ高さとなるように停止するよう制御されている。このため、エレベーター設備は、乗りかごの着床スイッチなどから構成される制御装置を有している（たとえば特許文献１ないし３参照）。
【特許文献１】特開２００１−３２２７７３号公報
【特許文献２】特開２０００−３４４４３３号公報
【特許文献３】特開平８−３２４９０３号公報
【発明の開示】
【発明が解決しようとする課題】
【０００３】
着床スイッチが故障すると、乗りかごを所定の位置に停止させることができない。また、着床スイッチの動作不良によって、エレベーターの乗りかごの床面が目的階の床と同じ高さで停止しない場合がある。この場合には、エレベーターの乗りかごと目的階の床に段差が生じて、乗客が転倒する事故につながるおそれがある。
【０００４】
そこで、一般的にエレベーターの着床スイッチは、定期的に点検され、必要に応じて修理・交換されている。機械式の着床スイッチの場合には、接点の機械的な移動によって動作するため寿命が短く、約３年程度の短いインターバルで交換が必要である。
【０００５】
一方、電気式のスイッチは機械的接点がないため、寿命が長く、たとえば約１５年程度交換が不要なものもある。しかし、電気式のスイッチは電気が供給されないと動作しないため、単に機械式着床スイッチを電気式のスイッチに置き換えるだけでは動作しない。
【０００６】
そこで、本発明は、エレベーターの着床スイッチの交換頻度を低減することを目的とする。
【課題を解決するための手段】
【０００７】
上述の目的を達成するため、本発明は、エレベーター設備において、昇降路に沿って昇降する乗りかごと、前記乗りかごに取り付けられた投光手段と、前記投光手段と間隙を挟んで向かい合うように前記乗りかごに取り付けられて、前記投光手段から放射される光を受けているか否かの信号を出力する受光手段と、前記乗りかごが所定の位置に到達すると前記投光手段と前記受光手段との間の間隙に位置して前記投光手段から放出される光を遮るように前記昇降路に固定された着床検出板と、前記受光手段から出力される信号に基づいて前記乗りかごが所定の位置に到達したか否かを判定する制御盤と、エレベーターの制御に用いる制御電源と、バッテリーを備え、前記制御電源から電気が供給されているときには前記制御電源から前記投光手段および前記受光手段に電気を供給させ、前記制御電源から電気が供給されないときには前記バッテリーから前記投光手段および前記受光手段に電気を供給させる電源供給回路と、を有することを特徴とする。
【０００８】
また、本発明は、エレベーターの着床スイッチ装置において、昇降路に沿って昇降する乗りかごに取り付けられた投光手段と、前記乗りかごが所定の位置に到達すると、前記投光手段から放出される光を遮るように前記昇降路に固定された着床検出板を挟んで前記投光手段の反対側に位置するように前記乗りかごに取り付けられて、前記投光手段から放射される光を受けているか否かの信号を出力する受光手段と、バッテリーを備え、エレベーターの制御に用いる制御電源から電気が供給されているときには前記制御電源から前記投光手段および前記受光手段に電気を供給させ、前記制御電源から電気が供給されないときには前記バッテリーから前記投光手段および前記受光手段に電気を供給させる電源供給回路と、を有することを特徴とする。
【０００９】
また、本発明は、昇降路に沿って昇降する乗りかごと、前記乗りかごに取り付けられた磁石と、前記磁石と間隙を挟んで向かい合うように前記乗りかごに取り付けられて、前記磁石から所定の強度の磁力を受けているか否かの信号を出力する機械式スイッチと、前記乗りかごが所定の位置に到達すると前記磁石と前記機械式スイッチとの間の間隙に位置して前記磁石が発生する磁力によって前記機械式スイッチが前記所定の強度の磁力を受けないように遮る、前記昇降路に固定された着床検出板と、前記機械式スイッチから出力される信号に基づいて前記乗りかごが所定の位置に到達したか否かを判定する制御盤と、エレベーターの制御に用いる制御電源と、を備えた既設のエレベーター設備の改造方法において、前記磁石を投光手段に取り替える工程と、前記機械式スイッチを受光手段に取替える工程と、バッテリーを設置する工程と、前記制御電源から電気が供給されているときには前記制御電源から前記投光手段および前記受光手段に電気を供給させ、前記制御電源から電気が供給されないときには前記バッテリーから前記投光手段および前記受光手段に電気を供給させ、前記制御電源から電気が供給されているときには前記制御電源によって前記バッテリーを充電するように電源供給回路を形成する工程と、を有することを特徴とする。
【発明の効果】
【００１０】
本発明によれば、エレベーターの着床スイッチの交換頻度を低減することができる。
【発明を実施するための最良の形態】
【００１１】
本発明に係るエレベーター設備の実施の形態を、図面を参照して説明する。
【００１２】
図１は、本発明に係る一実施の形態のエレベーター設備の側断面図である。
【００１３】
エレベーター設備は、昇降路壁２７で囲まれた昇降路２６の内部を、ワイヤロープ２５によって吊り下げられ、上下に移動する乗りかご２１を有している。乗りかご２１には、かごドア２２が取り付けられている。乗りかご２１が所定の目的階に着床すると、かごドア２２および目的階に取り付けられた乗り場ドア２３が連動して開き、乗客が乗降できるようになっている。
【００１４】
乗りかご２１には、電気式スイッチ５が取り付けられている。また、昇降路壁２７には、複数の目的階の建物床２４にそれぞれ対応する着床検出板２が取り付けられている。この着床検出板２は、乗りかご２１の床面と建物床２４の鉛直方向位置（高さ）が等しくなると、すなわち乗りかご２１が着床すると、電気式スイッチ５との鉛直方向位置が等しくなるように取り付けられている。
【００１５】
図２は、本実施の形態の電気式スイッチ５および着床検出板２の、図１におけるII−II矢視水平断面図である。
【００１６】
着床検出板２は、鉛直方向に所定の幅をもって広がる板である。電気式スイッチ５は、乗りかご２１が着床すると着床検出板２を挟んで、互いに向かい合うように配設された投光器７と受光器８を有している。
【００１７】
電気式スイッチ５の鉛直方向位置が、着床検出板２と異なる位置にある場合には、投光器７が放射する光２８が受光器８に入射する。また、乗りかご２１が着床し、電気式スイッチ５の鉛直方向位置が着床検出板２と等しくなると、投光器７が放射する光２８は着床検出板２で遮られて受光器８に入射しないようになっている。投光器７は、たとえば蛍光灯や発光ダイオードである。受光器８は、たとえば光電管やフォトダイオードである。
【００１８】
図３は、本実施の形態の電気式着床スイッチ装置のブロック図である。
【００１９】
電気式着床スイッチ装置１４は、制御電源６とリレー１５に対して直列に接続されていて、電気式着床スイッチ装置１４の開閉の信号は、リレー１５を介して制御盤１１に伝達されるようになっている。
【００２０】
電気式着床スイッチ装置１４は、投光器７、受光器８およびこれらに電気を供給する電源供給回路１２を有している。投光器７は電源供給回路１２から電気の供給を受けて受光器８に向けて光２８を放射する。
【００２１】
受光器８は投光器７が放射する光２８を受けると、制御電源６とリレー１５の間に挿入されたトランジスタ９のベースに電流が流れ、制御電源６からトランジスタ９のコレクタ、エミッタを通して、リレー１５に電流が流れる。これにより、受光器８が投光器７が放射する光２８を受光しているという信号が制御盤１１に伝達される。また、着床検出板２によって、投光器７が放射する光２８が遮られている場合には、リレー１５には電流が流れず、受光器８は投光器７が放射する光２８を受光していないという信号が制御盤１１に伝達される。このようにして制御盤１１には、乗りかご２１が着床位置にあるか否かを示す信号が伝達される。
【００２２】
なお、投光器７が放射する光２８を受光器８が受光していない場合に、リレー１５に電流が流れ、受光している場合に、リレー１５に電流が流れないようにして、制御盤１１に信号を伝達してもよい。
【００２３】
電源供給回路１２は、制御電源６に接続されたダイオード１３および外部電源２９に接続されたバッテリー１０を有している。制御電源６から電源供給回路１２に電気が供給されている場合には、ダイオード１３を介して投光器７および受光器８に電気が供給される。また、バッテリー１０からの電気はダイオード１３によって、制御電源６に逆流しないようになっている。
【００２４】
バッテリー１０は、通常は外部電源２９から電気の供給を受けて充電されているが、制御電源６から電源供給回路１２へ電気が供給されなくなると、制御電源６の代わりに投光器７および受光器８へ電気を供給する。
【００２５】
制御電源６、電源供給回路１２およびバッテリー１０が供給する電気は、たとえば２４Ｖの直流である。外部電源２９が供給する電気は、たとえば１００Ｖの交流であり、バッテリー１０は、交流の電気の供給を受けて充電可能なものである。なお、バッテリー１０に制御電源６から充電されるようにすると、外部電源２９をバッテリー１０に接続しなくてもよい。
【００２６】
このような電気式スイッチ５を用いると、着床スイッチに機械的動作部分がなくなり、寿命が延びるため、着床スイッチの交換頻度を低減することができる。また、電源供給回路１２を設けることにより、制御電源６から電気式スイッチ５に電気が供給されない場合でも、乗りかご２１が着床しているか否かを検出することができる。
【００２７】
次に、機械式着床スイッチ装置を有するエレベーター設備を、このような電気式着床スイッチ装置を用いたエレベーター設備に改造する方法を説明する。
【００２８】
図４は、機械式着床スイッチユニット近傍の一例を示す、図３に対応する断面における横断面図である。
【００２９】
改造前の既設のエレベーター設備における機械式着床スイッチユニット１は、本実施の形態の電気式スイッチ５の投光器７の代わりに磁石３を、受光器８の代わりに機械式スイッチ４を有している。着床検出板２は、たとえば鉄製の板のように磁石３が発生する磁力を機械式スイッチ４に到達させないような透磁性材料でできている。
【００３０】
乗りかご２１が着床位置にない場合、すなわち、磁石３と機械式スイッチ４との間に着床検出板２がない場合には、磁石３が発生する磁力によって機械式スイッチ４との接点が閉じる。乗りかご２１が着床位置に到達すると、磁石３と機械式スイッチ４との間に位置する着床検出板２によって、磁石３が発生する磁力が機械式スイッチ４に届かずに、機械式スイッチ４の接点は開くようになっている。
【００３１】
図５は、機械式着床スイッチ装置の一例を示すブロック図である。
【００３２】
機械式スイッチ４は、制御電源６とリレー１５との間に挿入されている。機械式スイッチ４の接点の開閉によって、制御電源６からリレー１５に電流が流れるか否かが決まり、乗りかご２１が着床位置にあるか否かの信号が制御盤１１に伝達される。
【００３３】
このようなにエレベーター設備に用いられる着床検出板２が光を透過しない物質で形成されていれば、電気式着床スイッチ装置を用いたエレベーター設備に流用することができる。しかし、機械式スイッチ４を単に投光器７および受光器８と置き換えるだけでは、投光器７および受光器８が動作する電源がない。そこで、機械式スイッチ４を、電源供給回路１２を含む電気式着床スイッチ装置１４と置き換える改造を施すことにより、機械式着床スイッチユニット１を用いたエレベーター設備の大部分を流用して、電気式着床スイッチ装置１４を用いたエレベーター設備に改造することができる。
【００３４】
なお、以上の説明は単なる例示であり、本発明は上述の実施の形態に限定されず、様々な形態で実施することができる。たとえば、昇降路２６は必ずしも昇降路壁２７で囲まれている必要はなく、建物の外部（屋外）にむき出しの状態のエレベーター設備であってもよい。この場合には、着床検出板２は、たとえば乗り場ドア２３が取り付けられた壁面に乗りかご２１と互いに干渉しないように取り付ければよい。
【図面の簡単な説明】
【００３５】
【図１】本発明に係る一実施の形態のエレベーター設備の側断面図である。
【図２】本発明に係る一実施の形態の電気式着床スイッチおよび着床検出板の、図１におけるII−II矢視水平断面図である。
【図３】本発明に係る一実施の形態の電気式着床スイッチ装置のブロック図である。
【図４】機械式着床スイッチ装置近傍の一例を示す、図２に対応する断面における横断面図である。
【図５】機械式着床スイッチ装置の一例を示すブロック図である。
【符号の説明】
【００３６】
１…機械式着床スイッチユニット、２…着床検出板、３…磁石、４…機械式スイッチ、５…電気式スイッチ、６…制御電源、７…投光器、８…受光器、９…トランジスタ、１０…バッテリー、１１…制御盤、１２…電源供給回路、１３…ダイオード、１４…電気式着床スイッチ装置、１５…リレー、２１…乗りかご、２２…かごドア、２３…乗り場ドア、２４…建物床、２５…ワイヤロープ、２６…昇降路、２７…昇降路壁、２８…光、２９…外部電源
【図１】
2008074518.tif 000003
【図２】
2008074518.tif 000004
【図３】
2008074518.tif 000005
【図４】
2008074518.tif 000006
【図５】
2008074518.tif 000007